(57)【要約】【課題】    自動車のタイヤ側面に自由な文字や絵柄などを印刷する旋回式タイヤ用プリンターを供給する。【解決手段】  基台に固定されたタイヤ２の厚さや径に合わせて中心位置、高さ、旋回半径を調節する機能を有し、接続されたパソコン３と専用のソフトウエアよって送信されるプリンターの始動・停止、旋回半径、旋回速度など印刷動作の制御信号や、文字や絵柄などの印刷データを受信し、中心に直立させた支柱を軸にタイヤ２の側面上を旋回しながら自由な文字や絵柄を印刷する旋回式タイヤ用プリンター１を供給するものである。【選択図】    図１
2006111242.tif 000002
【特許請求の範囲】
【請求項１】
基台に固定されたタイヤの大きさに合わせて中心位置、高さ、旋回半径を調節する機能を有し、中心に直立させた支柱を軸にタイヤの側面上を旋回しながら文字や絵柄を印刷する旋回式タイヤ用プリンター。
【請求項２】
請求項１における、プリンターの始動・停止、旋回半径、旋回速度など印刷動作の制御信号や、文字や絵柄などの印刷データは接続されたパソコンと専用のソフトウエアにより送信される旋回式タイヤ用プリンター。
【発明の詳細な説明】
【技術分野】
【０００１】  本発明は、自動車のタイヤ側面に自由な文字や絵柄などを印刷する旋回式タイヤ用プリンターに関するものである。
【背景技術】
【０００２】  従来より、自動車のタイヤ側面に文字や絵柄を施すサービスはスプレーガンとテンプレート等を使用した手作業で行われている。また、その他自動車のタイヤを装飾する手段の代表的なものとして、タイヤの製造段階で特種な塗布剤により文字や絵柄を施そうとする特開平１１−５９１３７号公報や、予め文字や絵柄が施されたシートをタイヤに貼り付けるタイプの同２００３−２００７１５号公報がある。【０００３】
【特許文献１】特開平１１−５９１３７号公報
【特許文献２】特開２００３−２００７１５号公報
【発明の開示】
【発明が解決しようとする課題】
【０００４】  しかしながら、スプレーガンとテンプレートを使用した手作業では時間・労力・技術が必要であり、その結果サービス料も高額になっている。また、製造段階で文字や絵柄を施したものは、自動車に装着後剥がれや汚れが生じた場合に修復が困難であり、貼り付けタイプのものは、走行時のタイヤの収縮やブレに対して耐久性の面で弱く、施される文字や絵柄に関しても種類は限られ、利用者の多種多様の希望に応えにくかった。【０００５】  そこで本発明は、前述のような問題点を解決するため、タイヤに文字や絵柄を印刷すための旋回式タイヤ用プリンターにより、利用者が短時間・低価格で耐久性・修復性に優れたサービスを受けられ、さらに前記プリンターはパソコンに接続され専用ソフトを使用し自由な文字や絵柄を選択、ダウンロード、作成、フロッピーディスクなどの記憶媒体による持ち込みができるといった利用者の多種多様な希望にも対応することを目的としている。
【課題を解決するための手段】
【０００６】  上記課題を解決するために本発明は、基台に固定されたタイヤの厚さや径に合わせて中心位置、高さ、旋回半径を調節する機能を有し、接続されたパソコンと専用のソフトウエアよって送信されるプリンターの始動・停止、旋回半径、旋回速度など印刷動作の制御信号や、文字や絵柄などの印刷データを受信し、中心に直立させた支柱を軸にタイヤの側面上を旋回しながら自由な文字や絵柄を印刷する旋回式タイヤ用プリンターを供給するものである。
【発明の効果】
【０００７】  以上の通り本発明によれば、利用者はタイヤに文字や絵柄を印刷するサービスに関し、短時間・低価格で耐久性・修復性に優れ、多種多様の文字や絵柄から希望のものを選ぶことにより車の個性、ファッション性を高めたり広告に利用することも可能になる。
【発明を実施するための最良の形態】
【０００８】  以下、本発明の実施形態の一例を図面に基づいて説明する。【０００９】  図１は本発明の実施形態の一例の斜視図であり、本発明におけるプリンター本体１、タイヤ２、パソコン３、塗料ボックス１１はこのように配置・接続される。図２は本発明プリンター本体１の平面図。図３・図４・図５は同じく図１に示された各方向から見た場合の側面図である。図６はタイヤ・プリンター固定台４の詳細図。図７は中心位置アジャスタ６の詳細図。図８は塗料ボックス１１の詳細図である。【００１０】  まず、タイヤとプリンター本体１を固定させるためのタイヤ・プリンター固定台４（図６においてその詳細を示す。）に予め被印刷用に表面処理されたタイヤ２を据える。そしてプリンター旋回時における中心軸となる旋回軸支柱５をタイヤホイール中心穴を通した後支柱受部４−１に差し込む。（旋回軸支柱５と支柱受部４−１は空転せずかつ直立するよう合致部をお互いに異形加工されている。）このとき旋回軸支柱５がタイヤ２の中心に位置し、ぐらつきを防ぐために中心位置アジャスタ６（異形円柱形をなしており上下にスライドさせることによりタイヤホイール中心穴の大きさの違いに対応している。図７においてその詳細を示す。）に合わせてタイヤを微移動させる。【００１１】  次にタイヤ２の中心に直立した旋回軸支柱５に駆動装置内蔵プリンター高さ固定盤７と動力伝達・プリンターアーム支持盤８をセットする。駆動装置内蔵プリンター高さ固定盤７はタイヤの幅に合わせて旋回軸支柱５に上下にスライド後固定され、内部にモーター・ギヤ等の駆動装置を有し、動力を動力伝達・プリンターアーム支持盤８に伝える。動力伝達・プリンターアーム支持盤８は駆動装置内蔵プリンター高さ固定盤７下に密着し駆動装置内蔵プリンター高さ固定盤７より受け取った動力を自身が旋回することによりセットされたプリンターアーム９（プリンターヘッド１０が旋回軸支柱５を中心に円を描くように異形に加工されている。）に伝える。【００１２】  プリンターアーム９はタイヤの径に合わせて旋回半径を変えられるように動力伝達・プリンターアーム支持盤８に内外にスライド後固定され、動力伝達・プリンター位置固定盤７より受け取った動力をプリンターヘッド１０に伝える。【００１３】  プリンターアーム９の先端に取り付けられたプリンターヘッド１０は、タイヤ２側面（被印刷面）上を旋回しながら塗料ボックス１１（塗料カップの集合体で数色の塗料をプリンターヘッド１０に供給する。その１例の詳細を図８に示す）より塗料供給ホース１２を介して供給される塗料を圧縮空気、ガス噴射、加熱噴射等によりタイヤ２に吹き付け、文字や絵柄を完成させる。【００１４】  以上一連の流れの中で駆動装置内蔵プリンター高さ固定盤７とプリンターヘッド１０はパソコン３に接続され、プリンター本体１の始動・停止、旋回方向、旋回速度などの制御信号や印刷する文字や絵柄などのデータはパソコン３と専用のソフトウエアにより送信される。また利用者は同ソフトウエアにより個々に希望の文字や絵柄を選択、作成、ダウンロード、フロッピィディスクなどの記憶媒体による持ち込みなどの方法でサービスをうける。【００１５】  さらに、本発明はタイヤ・プリンター固定台４��旋回軸支柱５を水平方向向きに手押し移動可能な台車に固定させ駆動装置内蔵プリンター高さ固定盤７と動力伝達・プリンターアーム支持盤８を前記の設置方向と逆向きにセットすれば、自動車に装着したままのタイヤにも印刷することが可能である。
【図面の簡単な説明】
【００１６】【図１】本発明の一実施例を示す斜視図である。
【図２】本発明プリンター本体の平面図である。
【図３】本発明プリンター本体の側面１方向から見た側面図である。
【図４】本発明プリンター本体の側面２方向から見た側面図である。
【図５】本発明プリンター本体の側面３方向から見た側面図である。
【図６】本発明プリンター本体のタイヤ・プリンター固定台１の詳細図である。
【図７】本発明プリンター本体の中心位置アジャスタ６の詳細図である。
【図８】本発明の塗料ボックス１１の詳細図である。
【符号の説明】
【００１７】１  プリンター本体２  タイヤ３  パソコン４  タイヤ・プリンター固定台４−１  支柱受部５  旋回軸支柱６  中心位置アジャスタ７  駆動装置内蔵プリンター高さ固定盤８  動力伝達・プリンターアーム支持盤９  プリンターアーム１０  プリンターヘッド１１  塗料ボックス１２  塗料供給ホース
【図１】
2006111242.tif 000003
【図２】
2006111242.tif 000004
【図３】
2006111242.tif 000005
【図４】
2006111242.tif 000006
【図５】
2006111242.tif 000007
【図６】
2006111242.tif 000008
【図７】
2006111242.tif 000009
【図８】
2006111242.tif 000010